(57)【要約】【課題】簡単な作業で、画像表示装置の背面に隠すように設置することができる住宅機器管理装置を提供する。【解決手段】コントローラ装置１は、筐体部１０と、テレビジョン受信機の表示面と反対側である背面部に壁掛け金具を固定するために形成されたネジ孔と螺合するネジの頭部に掛止可能で、筐体部１０に設けられた掛止部２０と、を備える。掛止部２０は、開口がネジの軸方向断面における頭部の直径よりも大きく、頭部が挿着可能な挿着孔２０Ａを１つ以上有する。【選択図】図１
2017147588.tif 000002
【特許請求の範囲】
【請求項１】
筐体部と、
画像表示装置の表示面と反対側である背面に壁掛け金具を固定するために形成されたネジ孔と螺合するネジの頭部に掛止可能で、前記筐体部に設けられた掛止部と、
を備える、
住宅機器管理装置。
【請求項２】
前記掛止部は、開口が前記ネジの軸方向断面における前記頭部の直径よりも大きく、前記頭部が挿着可能な挿着孔を１つ以上有する、
請求項１に記載の住宅機器管理装置。
【請求項３】
前記挿着孔は、前記筐体部および前記掛止部のうちの最も上に位置する部分と、該最も上に位置する部分から、前記画像表示装置の上端と前記ネジ孔との鉛直方向の距離だけ、鉛直方向かつ下側に離れた部分と、の間に形成された、
請求項２に記載の住宅機器管理装置。
【請求項４】
前記挿着孔は、前記掛止部に複数個形成され、
前記複数個の挿着孔は、前記開口の大きさそれぞれが異なる、
請求項２または３に記載の住宅機器管理装置。
【請求項５】
前記複数個の挿着孔は、前記筐体部の上下方向に並び、上側の挿着孔の開口の大きさが下側の挿着孔の開口の大きさよりも小さく、前記上側の挿着孔の開口と前記下側の挿着孔の開口とが上下方向につながっている、
請求項４に記載の住宅機器管理装置。
【請求項６】
前記挿着孔は、前記掛止部の上端部に一つ形成された、
請求項２に記載の住宅機器管理装置。
【請求項７】
前記掛止部は、前記筐体部の上端部から上へ突出した状態と、前記筐体部の上端部より下に収納された状態とに、可動する、
請求項１から６のいずれか１項に記載の住宅機器管理装置。
【請求項８】
壁掛け金具を固定可能なネジが螺合するネジ孔が表示面と反対側である背面に形成され、
前記ネジ孔は、前記ネジが螺合され、前記ネジの頭部に前記掛止部が掛止された場合に、請求項１から７のいずれか１項に記載の住宅機器管理装置を前記ネジを介して支持する、
画像表示装置。
【発明の詳細な説明】
【技術分野】
【０００１】
本発明は住宅機器管理装置および画像表示装置に関する。
【背景技術】
【０００２】
住宅では、室内のインテリア性を高めるため、住宅で使用する機器をテレビジョン受信機等の画像表示装置の背面側へ隠すように設置することが行われている。そこで、画像表示装置の背面側へ設置することが可能な住宅機器が開発されている。
【０００３】
例えば、特許文献１には、画像表示装置の上端部に掛止する鈎状部材を備えるパソコンが開示されている。特許文献１のパソコンは、パソコン本体を画像表示装置の背面部に位置させた状態で、鈎状部材を画像表示装置の上端部に掛止させて設置される。
【０００４】
特許文献２には、筐体の上端部に設けられ、操作ボタンが配置された庇部と、庇部を下から支持する柱状部材と、を備えるパソコンが開示されている。特許文献２のパソコンでは、柱状部材が鉛直方向へ延びかつその先端が画像表示装置の上端部と同じ高さに位置するようにして、柱状部材を画像表示装置の背面部に固定する。そして、特許文献２のパソコンは、庇部を柱状部材の先端に載置することで設置される。
【先行技術文献】
【特許文献】
【０００５】
【特許文献１】特開２０１４−８１９０４号公報
【特許文献２】特開２０１４−１３７８１０号公報
【発明の概要】
【発明が解決しようとする課題】
【０００６】
住宅内に設置された機器の動作を制御する住宅機器管理装置においても、室内のインテリア性を高めるため、特許文献１および２と同様に、画像表示装置の背面側へ設置することが考えられる。その場合、特許文献１および２のパソコンのように、住宅機器管理装置に鈎状部材を設けたり、柱状部材や庇部を設けたりすることが考えられる。
【０００７】
しかし、住宅機器管理装置に鈎状部材を設ける場合、鈎状部材が画像表示装置の正面側から見えてしまい、住宅機器管理機器を十分に隠すことができない。
【０００８】
住宅機器管理装置に柱状部材や庇部を設ける場合、庇部が画像表示装置の正面側から見えてしまう。また、柱状部材と庇部とを設ける必要があり、住宅機器管理機器を画像表示装置へ簡単に取り付けることができない。
【０００９】
本発明は上記の課題を解決するためになされたもので、簡単な作業で、画像表示装置の背面に隠すように設置することができる住宅機器管理装置を提供することを目的とする。
【課題を解決するための手段】
【００１０】
上記の目的を達成するため、本発明に係る住宅機器管理装置は、筐体部と、筐体部に設けられた掛止部と、を備える。掛止部は、画像表示装置の表示面と反対側である背面に壁掛け金具を固定するために形成されたネジ孔と螺合するネジの頭部に掛止可能である。
【発明の効果】
【００１１】
本発明では、掛止部が筐体部に設けられている。そして、掛止部は画像表示装置の背面に位置するネジの頭部に掛止可能である。そのため、住宅機器管理装置を画像表示装置の背面に隠すように設置することができる。
【００１２】
本発明では、画像表示装置の壁掛け金具用のネジ孔を利用し、そのネジ孔に螺合するネジの頭部に掛止部を掛止する。そのため、簡単な作業で住宅機器管理装置を画像表示装置へ取り付けることができる。
【図面の簡単な説明】
【００１３】
【図１】本発明の実施の形態１に係るコントローラ装置を示す斜視図である。
【図２】コントローラ装置が取り付けられるテレビジョン受信機を示す斜視図である。
【図３Ａ】テレビジョン受信機へのコントローラ装置の取り付け方法を示す斜視図である。
【図３Ｂ】テレビジョン受信機に取り付けられたコントローラ装置を示す斜視図である。
【図４】本発明の実施の形態２に係るコントローラ装置を示す正面図である。
【図５】本発明の実施の形態３に係るコントローラ装置を示す正面図である。
【図６Ａ】本発明の実施の形態４に係るコントローラ装置を示す分解斜視図である。
【図６Ｂ】コントローラ装置の掛止部がスライドする状態を示す斜視図である。
【図７】掛止部および挿着孔の変形例を示す斜視図である。
【図８】掛止部の他の変形例を示す斜視図である。
【発明を実施するための形態】
【００１４】
以下、本発明の実施の形態に係る住宅機器管理装置について図面を参照して詳細に説明する。なお図中、同一又は同等の部分には同一の符号を付す。
【００１５】
（実施の形態１）
実施の形態１に係る住宅機器管理装置は、住宅内に設置された機器を遠隔操作して住宅内で消費される電力を小さくするＨＥＭＳ（住宅エネルギー管理システム：Ｈｏｍｅ  Ｅｎｅｒｇｙ  Ｍａｎａｇｅｍｅｎｔ  Ｓｙｓｔｅｍ）のコントローラ装置である。
【００１６】
ＨＥＭＳのコントローラ装置は、住宅内の機器を自動で遠隔操作するため、通常ユーザーによって直接操作されることがない。そのため、コントローラ装置を住宅の目立たない場所に設置しても、コントローラ装置の動作に支障は生じない。そこで、住宅の目立たない場所に設置して室内のインテリア性を高めるため、コントローラ装置は、テレビジョン受信機の画像表示部と反対側である背面に隠すように配置される。以下に図１〜図３Ｂを参照してコントローラ装置の構成を説明する。
【００１７】
図１は本発明の実施の形態１に係るコントローラ装置を示す斜視図である。図１に示すように、コントローラ装置１は、装置の外形を画定する筐体部１０と、筐体部１０をテレビジョン受信機１００に掛止させるための掛止部２０と、で構成されている。
【００１８】
筐体部１０は直方体状に形成されている。筐体部１０には交流−直流変換回路や電子回路等が収納されている。交流−直流変換回路は、外部の交流電源と電子回路に接続され、交流電圧を直流電圧に変換するための回路である。一方、電子回路は住宅内のエアコン、電灯等の機器の制御基板と通信して同機器を遠隔操作するための基板である。例えば、電子回路はエアコンの設定温度を操作したり、電灯のオン、オフの操作をしたりする。
【００１９】
筐体部１０は樹脂で成形されている。筐体部１０の上面部１３には、筐体部１０と一体成形された掛止部２０が設けられている。
【００２０】
掛止部２０は、板状の部分が筐体部１０の上面部１３から出っ張るように形成されている。掛止部２０は、筐体部１０の背面部１２側をテレビジョン受信機１００に向けて筐体部１０をテレビジョン受信機１００に掛止させるため、筐体部１０の上面部１３における背面部１２側の端部に設けられている。掛止部２０の板面は、筐体部１０の背面部１２の壁面と平行であり、背面部１２の壁面と連続する面を形成している。掛止部２０には、後述するテレビジョン受信機１００の背面部１２０に固定されるネジ２００の頭部が挿着可能な挿着孔２０Ａが一つ形成されている。
【００２１】
挿着孔２０Ａは、掛止部２０の板面を垂直に貫通している。挿着孔２０Ａの開口および掛止部２０の板面の貫通方向と垂直な断面は円形状に形成されている。その直径は後述するネジ２００の頭部の直径よりも大きい。
【００２２】
挿着孔２０Ａには、テレビジョン受信機１００のネジ２００の頭部が挿着される。以下に、テレビジョン受信機１００の構成について説明する。
【００２３】
図２は、コントローラ装置が取り付けられるテレビジョン受信機を示す斜視図である。図２に示すように、テレビジョン受信機１００は、液晶ディスプレイまたはプラズマディスプレイを備える薄型の受信機である。一般に、薄型のテレビジョン受信機には、テレビジョン受信機を住宅の壁面部に設置する壁掛け金具を固定するためのネジ孔が設けられている。テレビジョン受信機１００においても、背面部１２０に壁掛け金具を固定するためのネジ孔１００Ａ、１００Ｂが設けられている。
【００２４】
ネジ孔１００Ａ、１００Ｂの内壁にはネジ溝が形成されている。ネジ孔１００Ａ、１００Ｂは、ネジ２００が螺合する。ネジ孔１００Ａ、１００Ｂの奥の先端部には、ネジ２００が螺合して固定された場合に、ネジ２００の先端が突き当たる当接部１４０Ａ、１４０Ｂが設けられている。
【００２５】
当接部１４０Ａ、１４０Ｂは絶縁物質である樹脂で形成されている。当接部１４０Ａ、１４０Ｂは、ネジ２００の先端とテレビジョン受信機１００内部の電子回路とを絶縁する。また、当接部１４０Ａ、１４０Ｂは、ネジ２００の先端が突き当たることで、ネジ２００の位置決めをする。当接部１４０Ａ、１４０Ｂによって位置決めされたネジ２００に、コントローラ装置１が取り付けられる。以下に、コントローラ装置１をテレビジョン受信機１００に取り付ける方法について説明する。
【００２６】
図３Ａは、テレビジョン受信機へのコントローラ装置の取り付け方法を示す斜視図である。図３Ｂは、テレビジョン受信機に取り付けられたコントローラ装置を示す斜視図である。
【００２７】
まず、コントローラ装置１の落下を防止するため、ネジ孔１００Ａ、１００Ｂに螺合して固定された場合に、ネジ２００の軸部がネジ孔１００Ａ、１００Ｂから露出し、かつ露出した軸部の長さが掛止部２０の板厚よりも大きいネジ２００を用意する。
【００２８】
次に、図３Ａに示すように、用意したネジ２００をネジ孔１００Ａ、１００Ｂのうち、一方のネジ孔１００Ｂに、螺合して固定する。
【００２９】
次に、図３Ｂに示すように、ネジ孔１００Ｂに固定されたネジ２００の頭部を掛止部２０の挿着孔２０Ａに挿着するようにコントローラ装置１を移動させて、掛止部２０をネジ２００の頭部に掛止させる。このとき、掛止部２０が落下しないように、ネジ孔１００Ｂから露出するネジ２００の軸部を挿着孔２０Ａに挿通させ、ネジ２００の頭部とテレビジョン受信機１００の背面部１２０とで掛止部２０を挟み込む。
【００３０】
そして、電源ケーブル３０および通信ケーブル３１をコントローラ装置１に接続する。電源ケーブル３０および通信ケーブル３１は、テレビジョン受信機１００の背面部１２０に設けられたバンド１３０で結束する。
【００３１】
なお、テレビジョン受信機１００の正面部１１０からコントローラ装置１の筐体部１０が見えないようにするため、筐体部１０の直方体のうち、最も大きい面である正面部１１、背面部１２を、テレビジョン受信機１００の背面部１２０よりも小さい大きさに形成するとよい。例えば、一般的なテレビジョン受信機１００の画像表示部の画面サイズが１０インチ以上である場合、筐体部１０の正面部１１、背面部１２を、その画面サイズよりも小さい大きさに形成するとよい。
【００３２】
また、テレビジョン受信機１００の正面部１１０からコントローラ装置１の掛止部２０が見えないようにするため、掛止部２０の最上端部から挿着孔２０Ａまでの距離Ｌがテレビジョン受信機１００の最上端部からネジ孔１００Ｂまでの距離Ｍよりも小さくなるように掛止部２０を形成するとよい。一般的なテレビジョン受信機１００は、画像表示部の画面を囲む額縁部よりも内側にネジ孔１００Ａ、１００Ｂが設けられることが多い。そのため、例えば、掛止部２０を、距離Ｌが額縁の幅よりも小さくなるように形成するとよい。
【００３３】
以上のように、実施の形態１に係るコントローラ装置１は、掛止部２０が筐体部１０に設けられている。そして、掛止部２０は、テレビジョン受信機１００の背面部１２０に固定されたネジ２００の頭部に掛止可能である。実施の形態１によれば、コントローラ装置１をテレビジョン受信機１００の背面部１２０に隠すように設置することができる。
【００３４】
コントローラ装置１は、テレビジョン受信機１００の壁掛け金具用のネジ孔１００Ｂを利用してテレビジョン受信機１００に取り付けられる。コントローラ装置１の取り付けでは、ネジ孔１００Ｂを新たに設ける必要がない。壁掛け金具用のネジ孔１００Ｂにネジ２００を螺合するだけで、コントローラ装置１をテレビジョン受信機１００に取り付けることができる。実施の形態１によれば、コントローラ装置１のテレビジョン受信機１００への取り付け作業が容易である。
【００３５】
掛止部２０は、筐体部１０と一体成形されているので、コントローラ装置１をテレビジョン受信機１００へ取り付けるため、新たな部品をコントローラ装置１に取り付ける必要がない。そのため、コントローラ装置１の取り付けに手間がかからない。実施の形態１によれば、コントローラ装置１のテレビジョン受信機１００への取り付けが容易である。
【００３６】
掛止部２０は、筐体部１０の上面部１３に設けられている。そして、掛止部２０には、装着孔２０Ａが一つ形成されている。そのため、ネジ２００を一つ、テレビジョン受信機１００の壁掛け金具用のネジ孔１００Ｂに螺合するだけで、コントローラ装置１の筐体部１０をテレビジョン受信機１００正面部１１０から見えないように設置することができる。
【００３７】
テレビジョン受信機１００の背面部１２０には、映像ケーブルや音声ケーブル等のケーブルを結束するため、バンド１３０が設けられていることがある。実施の形態１では、コントローラ装置１をテレビジョン受信機１００の背面部１２０に取り付けるので、背面部１２０のバンド１３０を利用して、コントローラ装置１の電源ケーブル３０および通信ケーブル３１を結束することができる。そのため、室内のインテリア性を高めることが容易である。
【００３８】
テレビジョン受信機１００の背面部１２０にはコントローラ装置１が設置される。実施の形態１によれば、背面部１２０の空間を有効利用することができるテレビジョン受信機１００を提供することができる。
【００３９】
なお、実施の形態１では、筐体部１０に交流−直流変換回路が収容されていたが、電子回路が直流電源と接続されて使用される場合には、筐体部１０に交流−直流変換回路が収容されていなくてもよい。
【００４０】
テレビジョン受信機１００のネジ孔１００Ａ、１００Ｂには、当接部１４０Ａ、１４０Ｂが設けられていたが、ネジ孔１００Ａ、１００Ｂのテレビジョン受信機１００内側の開口にナットが配置されてもよい。この場合、ネジ２００の軸部の中間にナットが螺合され、テレビジョン受信機１００内側のナットと、ネジ２００の軸部の中間のナットとで、テレビジョン受信機１００の背面部１２０の壁部を挟み込むとよい。
【００４１】
（実施の形態２）
実施の形態２に係るコントローラ装置１は、掛止部２０に、二つの挿着孔２０Ｂ、２０Ｃが形成されている。以下に、図４を参照して実施の形態２に係るコントローラ装置１の構成を説明する。実施の形態２では、実施の形態１と異なる構成について説明する。
【００４２】
図４は本発明の実施の形態２に係るコントローラ装置を示す正面図である。図４に示すように、コントローラ装置１の掛止部２０には、開口それぞれの大きさが異なる挿着孔２０Ｂと２０Ｃとが上から順にこの順序で並んでいる。
【００４３】
挿着孔２０Ｂは、実施の形態１で説明した挿着孔２０Ａと同じ形状、同じ大きさである。一方、挿着孔２０Ｃは、開口および掛止部２０の板面の貫通方向と垂直な断面が挿着孔２０Ｂのそれらよりも大きい。挿着孔２０Ｃには、ネジ２００の頭部および軸部よりも頭部および軸部の径が大きい別のネジを挿着することが可能である。
【００４４】
以上のように、実施の形態２に係るコントローラ装置１では、二つの挿着孔２０Ｂ、２０Ｃが形成され、挿着孔２０Ｂ、２０Ｃは、開口それぞれの大きさが異なっている。そして、挿着孔２０Ｂ、２０Ｃそれぞれは、挿着可能なネジの大きさが異なっている。挿着孔２０Ｂ、２０Ｃそれぞれに挿着可能なネジは、ネジ２００と上述した別のネジである。実施の形態２によれば、コントローラ装置１は、テレビジョン受信機１００の背面部１２０に二種類のネジ孔が形成された場合に、いずれのネジ孔に螺合するネジにも装着することができる。また、テレビジョン受信機１００の背面部１２０に上述した二種類のネジ孔のうちの一方の種類のネジ孔がしか形成されていない場合でも、そのネジ孔に螺合するネジに装着することができる。
【００４５】
（実施の形態３）
実施の形態３に係るコントローラ装置１は、掛止部２０に、ダルマ孔形状の挿着孔２０Ｄが形成されている。以下に、図５を参照して実施の形態３に係るコントローラ装置１の構成を説明する。実施の形態３では、実施の形態１および２と異なる構成について説明する。
【００４６】
図５は本発明の実施の形態３に係るコントローラ装置を示す正面図である。図５に示すように、挿着孔２０Ｄのダルマ孔形状は、実施の形態２で説明した挿着孔２０Ｂの開口と挿着孔２０Ｃの開口とが上下方向につながった形状である。詳細には、挿着孔２０Ｄは、挿着孔２０Ｂと２０Ｃとが上からこの順序で並び、かつ挿着孔２０Ｂの開口中心と挿着孔２０Ｃの開口中心とが、挿着孔２０Ｂの開口半径と挿着孔２０Ｃの開口半径とを加算した距離よりも近接した位置に設けられた形状である。そして、挿着孔２０Ｂの内壁と挿着孔２０Ｃの内壁とがつながった形状である。そのため、挿着孔２０Ｄには、挿着孔２０Ｂに挿着可能なネジ２００の頭部と、挿着孔２０Ｃに挿着可能な別のネジの頭部とが挿着可能である。
【００４７】
挿着孔２０Ｄに、テレビジョン受信機１００のネジ２００の頭部を挿着させる場合、まず、下側の挿着孔２０Ｃに相当する孔の部分にネジ２００の頭部を挿入させ、続いてその孔にネジ２００の軸部を挿通させる。そして、掛止部２０を下へ移動させることで、挿通されたネジ２００の軸部を、上側の挿着孔２０Ｂに相当する孔の部分へ移動させる。ネジ２００は、実施の形態２で説明したように、挿着孔２０Ｂに挿着可能なネジである。ネジ２００の軸部が上側の挿着孔２０Ｂに相当する孔の部分へ移動することで、ネジ２００の頭部が挿着孔２０Ｄ内で安定する。
【００４８】
以上のように、実施の形態３に係るコントローラ装置１では、掛止部２０に、挿着孔２０Ｂと２０Ｃとが開口が上下方向につながった形状を有する挿着孔２０Ｄが形成されている。そのため、コントローラ装置１は、実施の形態２に係るコントローラ装置１と同様に、テレビジョン受信機１００の背面部１２０に二種類のネジ孔が形成された場合に、いずれのネジ孔に螺合するネジにも装着することができる。また、テレビジョン受信機１００の背面部１２０に二種類のネジ孔のうちの一方の種類のネジ孔しか形成されていない場合に、そのネジ孔に螺合するネジに装着することができる。
【００４９】
（実施の形態４）
実施の形態４に係るコントローラ装置１は、筐体部１０に収納可能な掛止部２０を備えるコントローラ装置１である。以下に、図６Ａおよび図６Ｂを参照して実施の形態４に係るコントローラ装置１の構成を説明する。実施の形態４では、実施の形態１〜３と異なる構成について説明する。
【００５０】
図６Ａは本発明の実施の形態４に係るコントローラ装置を示す分解斜視図である。図６Ａに示すように、掛止部２０は、正面逆Ｔ字型に形成されている。
【００５１】
掛止部２０の逆Ｔ字の縦棒部分２０Ｅには、実施の形態２で説明した挿着孔２０Ｂと２０Ｃが形成されている。そして、掛止部２０の逆Ｔ字の横棒部分２０Ｆ両側の先端には、爪部２１、２２が形成されている。爪部２１と２２は、板状体の先端が同方向へ直角に折り曲げられた形状である。
【００５２】
一方、筐体部１０の背面部１２には、掛止部２０が収納可能な正面逆Ｔ字型の溝部４０が形成されている。
【００５３】
溝部４０の逆Ｔ字の縦溝部分４０Ａは、掛止部２０の縦棒部分２０Ｅよりも長くかつ幅が広く形成されている。そして、溝部４０の逆Ｔ字の横溝部分４０Ｂは、掛止部２０の横棒部分２０Ｆと爪部２１、２２とを合わせた平面形状と同じ平面形状に形成されている。溝部４０の縦溝部分４０Ａおよび横溝部分４０Ｂの深さは、掛止部２０の厚みよりも大きい。そのため、溝部４０には、矢印Ａで示すように、掛止部２０を嵌め込み可能である。
【００５４】
溝部４０の横溝部分４０Ｂの両端には、爪部２１、２２の先端を嵌入することが可能な案内溝４０Ｃ、４０Ｄが設けられている。案内溝４０Ｃ、４０Ｄは、溝部４０の横溝部分４０Ｂから筐体部１０の上面部１３近傍まで延びている。
【００５５】
一方、溝部４０の縦溝部分４０Ａの側壁部の底側には、掛止部２０が溝部４０に嵌め込まれた場合に、その掛止部２０が溝部４０の横溝部分４０Ｂから筐体部１０の上面部１３近傍までスライド可能なように、溝部４０の縦溝部分４０Ａと連続する空洞部が形成されている。空洞部は、案内溝４０Ｃ、４０Ｄの開口部とつながっている。以下に、掛止部２０のスライド動作を説明する。
【００５６】
図６Ｂはコントローラ装置の掛止部がスライドする状態を示す斜視図である。図６Ｂに示すように、掛止部２０の横棒部分２０Ｆを、溝部４０の横溝部分４０Ｂへスライドさせた場合、掛止部２０全体は溝部４０内に収納される。
【００５７】
掛止部２０が収納された状態から、掛止部２０の横棒部分２０Ｆを矢印Ｂに示す方向へスライドさせると、横棒部分２０Ｆは筐体部１０の上面部１３近傍で停止する。この状態で、掛止部２０の挿着孔２０Ｂと２０Ｃが筐体部１０の上面部１３から上へ露出する。掛止部２０を、テレビジョン受信機１００の背面部１２０に固定されるネジ２００の頭部に、またはネジ２００よりも大きい別のネジの頭部に掛止させることが可能である。
【００５８】
以上のように、実施の形態４に係るコントローラ装置１は、掛止部２０をスライドさせて溝部４０に収納することができる。そのため、コントローラ装置１をテレビジョン受信機１００に取り付けるときにだけ、掛止部２０を引き出して使用することができる。コントローラ装置１をよりコンパクトにし、インテリア性を高めることができる。
【００５９】
以上、本発明の実施の形態を説明したが、本発明は上記の実施の形態に限定されるものではない。実施の形態１〜４では、掛止部２０の板状の部分が筐体部１０の上面部１３から出っ張っていた。また、掛止部２０が、掛止部２０の板面を垂直に貫通する挿着孔２０Ａ〜２０Ｄを有していた。しかし、本発明はこれに限定されない。本発明では、掛止部２０が筐体部１０に設けられていればよい。また掛止部２０はテレビジョン受信機１００の背面部１２０に形成されたネジ孔１００Ａ、１００Ｂに螺合するネジ２００の頭部に掛止可能であればよい。
【００６０】
図７は掛止部および挿着孔の変形例を示す斜視図である。図７に示すように、掛止部２０は、筐体部１０の背面部１２の上面部１３近傍に設けられてもよい。この場合、掛止部２０および筐体部１０のうちの最も上に位置する部分から挿着孔２０Ａまでの距離Ｌが、図３Ａに示すテレビジョン受信機１００の最上端部からネジ孔１００Ｂまでの距離Ｍよりも小さくなるように挿着孔２０Ａを形成するとよい。このような形態であれば、掛止部２０および筐体部１０のうちの最も上に位置する部分がテレビジョン受信機１００の正面部１１０から見えないようにして、コントローラ装置１全体をテレビジョン受信機１００の背面部１２０に隠すように設置することができる。
【００６１】
図７に示す掛止部２０の場合、掛止部２０が凹部状の挿着孔２０Ｇを有するとよい。挿着孔２０Ｇは、開口がネジ２００の軸方向断面における頭部の直径よりも大きく、ネジ２００の頭部が挿着可能であるとよい。このような挿着孔２０Ｇでも、ネジ２００の頭部に掛止することができる。なお、本明細書では、挿着孔とは掛止部２０を貫通する孔のほか、凹み状の穴を含む。
【００６２】
掛止部２０は、ネジ２００の頭部に掛止可能な鈎状のフックを有してもよい。このような形態でも、コントローラ装置１をテレビジョン受信機１００の背面部１２０に隠すように設置することができる。
【００６３】
実施の形態１〜４および変形例では、挿着孔２０Ａ〜２０Ｄおよび２０Ｇが一つ又は二つであった。しかし、本発明はこれに限定されない。本発明では、掛止部２０が挿着孔２０Ａ〜２０Ｄおよび２０Ｇを有する場合、挿着孔２０Ａ〜２０Ｄおよび２０Ｇの数は一つ以上であればよい。例えば、挿着孔２０Ａ〜２０Ｄおよび２０Ｇが３つ以上形成されてもよい。
【００６４】
実施の形態３では、実施の形態２で説明した挿着孔２０Ｂの開口と挿着孔２０Ｃの開口とが上下方向につながった、ダルマ孔形状の挿着孔２０Ｄが形成されていた。しかし、本発明はこれに限定されない。本発明では、複数の挿着孔２０Ａ〜２０Ｃおよび２０Ｇが、筐体部１０の上下方向に並び、上側の挿着孔２０Ａ〜２０Ｃおよび２０Ｇの開口の大きさが下側の挿着孔２０Ａ〜２０Ｃおよび２０Ｇの開口の大きさよりも小さく、上側の挿着孔２０Ａ〜２０Ｃおよび２０Ｇの開口と下側の挿着孔２０Ａ〜２０Ｃおよび２０Ｇの開口とが上下方向につながっていてもよい。この場合でも、実施の形態３と同様に、掛止部２０に２種類以上のネジの頭部を挿着することができる。
【００６５】
実施の形態４では、掛止部２０が筐体部１０の溝部４０内でスライド可能であった。しかし、本発明は、これに限定されない。本発明では、筐体部１０の上端部から上へ突出した状態と、筐体部１０の上端部より下に収納された状態とに、可動するものであるとよい。
【００６６】
図８は掛止部の他の変形例を示す斜視図である。図８に示すように、掛止部２０の下端部が蝶番５０によって支持されることで、掛止部２０が筐体部１０に対して折り曲げ可能であってもよい。この場合、蝶番５０の軸は、筐体部１０の上面部１３および背面部１２と平行に設けるとよい。掛止部２０は、蝶番５０の軸を中心にして上へ回転することで、筐体部１０の上面部１３から突出した場合に、テレビジョン受信機１００の背面部１２０のネジ２００に掛止させることができる。一方、掛止部２０は、蝶番５０の軸を中心にして下へ回転した場合に、掛止部２０の板面が筐体部１０の背面部１２に隣接する状態にすることができる。図８に示す形態の場合、この状態にして、掛止部２０を収納することができる。
【００６７】
実施の形態１〜４では、住宅機器管理装置がＨＥＭＳのコントローラ装置１である場合について説明した。しかし、本発明は、これに限定されない。本発明は、例えば、住宅に設置された画像センサおよびガスセンサ等を制御する住宅警備システム管理装置、住宅に設置された情報処理装置の通信を制御する住宅情報管理装置等の住宅機器管理装置に適用可能である。
【符号の説明】
【００６８】
１  コントローラ装置、１０  筐体部、１１  正面部、１２  背面部、１３  上面部、２０  掛止部、２０Ａ〜２０Ｄ  挿着孔、２０Ｅ  縦棒部分、２０Ｆ  横棒部分、２０Ｇ  挿着孔、２１、２２  爪部、３０  電源ケーブル、３１  通信ケーブル、４０  溝部、４０Ａ  縦溝部分、４０Ｂ  横溝部分、４０Ｃ、４０Ｄ  案内溝、５０  蝶番、１００  テレビジョン受信機、１００Ａ、１００Ｂ  ネジ孔、１１０  正面部、１２０  背面部、１３０  バンド、１４０Ａ、１４０Ｂ  当接部、２００  ネジ、Ａ、Ｂ  矢印、Ｌ、Ｍ  距離。
【図１】
2017147588.tif 000003
【図２】
2017147588.tif 000004
【図３Ａ】
2017147588.tif 000005
【図３Ｂ】
2017147588.tif 000006
【図４】
2017147588.tif 000007
【図５】
2017147588.tif 000008
【図６Ａ】
2017147588.tif 000009
【図６Ｂ】
2017147588.tif 000010
【図７】
2017147588.tif 000011
【図８】
2017147588.tif 000012